(57)【要約】【課題】Ｄ−リモネンを接着剤として使用することによって自然に対して優しく、人体に対する安全性が高められるようにし、且つ、Ｄ−リモネンに適した塗布方式を採用することによって使い勝手の優れた接着剤塗布装置を提供すること。【解決手段】接着剤塗布装置１は、先端に開口部２Ａを有するとともに接着剤としてのＤ−リモネンを含む液体４が貯留された容器２と、この容器２の先端開口部２Ａに可動可能に取り付けられた塗布部材６と、この塗布部材の移動に伴って容器内のＤ−リモネンを含む液体４を塗布部材６に供給する接着剤供給機構８とを備え、接着作業時に塗布部材６の移動に伴い接着剤供給機構８によって塗布部材６にＤ−リモネンを含む液体４が適量供給されるようにし、接着面１６Ａに付けすぎたり、接着面１６Ａから食み出したりしないようにしている。【選択図】図２
2011218290.tif 000002
【特許請求の範囲】
【請求項１】
先端に開口部を有するとともに接着剤としてのＤ−リモネンを含む液体が収納された容器と、この容器内のＤ−リモネンを含む液体を浸み込ませて目標物に塗布するために前記容器の前記開口部に取り付けられる塗布部材とを備えたことを特徴とする接着剤塗布装置。
【請求項２】
先端に開口部を有するとともに接着剤としてのＤ−リモネンを含む液体が収納された容器と、この容器の前記開口部に可動可能に取り付けられ前記容器内のＤ−リモネンを含む液体を浸み込ませて目標物に塗布するための塗布部材と、この塗布部材の移動に伴って前記容器内のＤ−リモネンを含む液体を前記塗布部材に供給する接着剤供給機構とを備えたことを特徴とする接着剤塗布装置。
【請求項３】
先端に開口部を有するとともに接着剤としてのＤ−リモネンを含む液体が収納された容器と、この容器の前記開口部に取り付けられたホルダーと、このホルダー内に移動可能に取り付けられたフェルト製で、且つ、ペン先形状を呈して前記容器内のＤ−リモネンを含む液体を浸み込ませて目標物に塗布するための塗布部材と、この塗布部材と前記ホルダーとの間に設けられて前記容器内のＤ−リモネンを含む液体を湿潤して前記塗布部材に浸み込ませるための接着剤湿潤体と、前記塗布部材の移動に伴って前記容器内のＤ−リモネンを含む液体を前記接着剤湿潤体に供給する接着剤供給機構とを備えたことを特徴とする接着剤塗布装置。
【発明の詳細な説明】
【技術分野】
【０００１】
本発明は、プラモデル等のプラスチック部材を接着するのに適した接着剤塗布装置に関する。
【背景技術】
【０００２】
この種の接着剤塗布装置は、可撓性のチューブ式容器内に接着剤を貯留し、容器の先端開口部から接着剤を必要量押し出して使用するものや、特許文献１に開示されているように、接着剤を貯留する容器本体と容器本体の口栓部に嵌合する蓋体とからなり、蓋体の裏面に棒状の柄部材を突設するとともに柄部材の先端に刷毛を取り付けることによって、刷毛に接着剤を付着させて塗布するものが一般的である。
【先行技術文献】
【特許文献】
【０００３】
【特許文献１】実開平６−３７１６７号公報
【発明の概要】
【発明が解決しようとする課題】
【０００４】
近年、オレンジの皮から精製されるＤ−リモネンを含む液体は接着剤として注目されている。すなわち、化学式が（Ｃ５Ｈ８）２のＤ−リモネンは、化学式が（Ｃ８Ｈ８）ｎのポリスチレン（ＰＳ）と分子構造が似ているため、ＰＳを溶解する特性があり、ＰＳ等のプラスチック材料の接着剤として適している。しかも、天然成分でできているため、有機溶剤系の接着剤に比べて自然に対して優しく、人体に対する安全性に優れている。
【０００５】
しかしながら、Ｄ−リモネンは粘性（粘度０．９８ｃｐｓ、２０°Ｃ）が低く、流れやすいため、上述したチューブ式のものや刷毛を用いた塗布式のものでは、接着面に塗布量を多く付けすぎたり、スポット的に塗布するのが困難で接着面から食み出しやすいため、取り扱いが難しいという問題があった。
【０００６】
そこで本発明は、上記の点に鑑み、Ｄ−リモネンの接着特性に着目し、Ｄ−リモネンを接着剤として使用することによって自然に対して優しく、人体に対する安全性が高められるようにし、且つ、Ｄ−リモネンに適した塗布方式を採用することによって使い勝手の優れた接着剤塗布装置を提供することを目的とする。
【課題を解決するための手段】
【０００７】
このため第１の発明の接着剤塗布装置は、先端に開口部を有するとともに接着剤としてのＤ−リモネンを含む液体が収納された容器と、この容器内のＤ−リモネンを含む液体を浸み込ませて目標物に塗布するために前記容器の前記開口部に取り付けられる塗布部材とを備えたことを特徴とする。
【０００８】
また、第２の発明の接着剤塗布装置は、先端に開口部を有するとともに接着剤としてのＤ−リモネンを含む液体が収納された容器と、この容器の前記開口部に可動可能に取り付けられ前記容器内のＤ−リモネンを含む液体を浸み込ませて目標物に塗布するための塗布部材と、この塗布部材の移動に伴って前記容器内のＤ−リモネンを含む液体を前記塗布部材に供給する接着剤供給機構とを備えたことを特徴とする。
【０００９】
また、第３の発明の接着剤塗布装置は、先端に開口部を有するとともに接着剤としてのＤ−リモネンを含む液体が収納された容器と、この容器の前記開口部に取り付けられたホルダーと、このホルダー内に移動可能に取り付けられたフェルト製で、且つ、ペン先形状を呈して前記容器内のＤ−リモネンを含む液体を浸み込ませて目標物に塗布するための塗布部材と、この塗布部材と前記ホルダーとの間に設けられて前記容器内のＤ−リモネンを含む液体を湿潤して前記塗布部材に浸み込ませるための接着剤湿潤体と、前記塗布部材の移動に伴って前記容器内のＤ−リモネンを含む液体を前記接着剤湿潤体に供給する接着剤供給機構とを備えたことを特徴とする。
【発明の効果】
【００１０】
本発明によれば、Ｄ−リモネンの優れた接着特性に着目し、Ｄ−リモネンを含む液体を接着剤として使用することによって自然に対して優しく、人体に対する安全性を高めることができ、しかも、Ｄ−リモネンを含む液体に適した塗布方式を採用することによって接着面への付け過ぎや接着面からの食み出しを防止することができるなど、使い勝手の優れた接着剤塗布装置を提供することができる。
【図面の簡単な説明】
【００１１】
【図１】本発明の接着剤塗布装置の断面図である。
【図２】本発明の接着剤塗布装置の使用状態における断面図である。
【発明を実施するための形態】
【００１２】
以下図１及び図２に基づき、本発明の実施の形態について説明する。ペン先を下にして長手方向に沿って断面せる接着剤塗布装置の断面図である図１に示すように、本発明の接着剤塗布装置１は、一方の端部（図１では下端）を開口せる有底筒状を呈すると共に内部の貯留部３に接着剤としてのＤ−リモネンを含む液体４が貯留された細長形状の容器２と、この容器２の前記開口側に取り付けられた先細で２段絞りの円筒状のペン先ホルダー５と、このペン先ホルダー５内に接着剤塗布装置１の長手方向に沿って可動可能に取り付けられてＤ−リモネンを含む液体４に対して浸潤性のあるフェルト製で、且つ、先端に先細のペン先部６Ａを有する塗布部材６と、この塗布部材６とペン先ホルダー５との間に設けられた保水力が高い、例えばスポンジ等で構成された接着剤湿潤体７と、前記塗布部材６の移動に伴って容器２内のＤ−リモネンを含む液体４を接着剤湿潤体７を介して塗布部材６に供給する接着剤供給機構８と、ペン先ホルダー５に着脱自在で、塗布部材６のペン先部６Ａを保護するキャップ９とを備えている。
【００１３】
なお、オレンジの皮から抽出して精製されたＤ−リモネンを含む液体４は接着剤として注目されている。すなわち、化学式が（Ｃ５Ｈ８）２のＤ−リモネンは、化学式が（Ｃ８Ｈ８）ｎのポリスチレン（ＰＳ）と分子構造が似ているため、ＰＳを溶解する特性があり、ＰＳ等のプラスチック材料の接着剤として適している。そして、このＤ−リモネンを含む液体４は、Ｄ−リモネンを含んでいる液体であるが、Ｄ−リモネンが１００％の液体でもよい。また、このＤ−リモネンは粘性（粘度０．９８ｃｐｓ、２０°Ｃ）が低く、流れやすい。
【００１４】
前記ペン先ホルダー５は基端側の大径部５Ａが容器２の開口側近くの外周に外方から嵌められ、中間中径部５Ｂの内側に前記接着剤湿潤体７が配設され、先端側小径部５Ｃに塗布部材６のペン先部６Ａがその長手方向に沿って可動可能に挿入されている。塗布部材６はペン先部６Ａと接着剤湿潤体７に挿通された棒状部６Ｂと取り付け基部６Ｃとからなるフェルト製の一体成形品である。
【００１５】
前記キャップ９は内壁に形成された突状部９Ａをペン先ホルダー５の中間中径部５Ｂに当接させることによって、ペン先ホルダー５に着脱自在に外方から嵌められている。
【００１６】
前記接着剤供給機構８は、内面に弁座１０を有する大径部１１Ａ及び所定間隔毎に開設された複数の連通口１２を有する小径部１１Ｂからなる筒状体１１を備えており、この筒状体１１の大径部１１Ａは容器２の開口端部に内方から嵌められている。そして、塗布部材６の取り付け基部６Ｃを保持する弁体１３が、筒状体１１の大径部１１Ａ内に弁座１０に対して接離可能（移動可能）に挿入されている。また、弁体１３には弁棒１４が一体形成され、この弁棒１４の先端は筒状体１１を挿通して接着剤貯留部３内に突出させている。また、筒状体１１内の弁棒１４には弁体１３を弁座１０に押し付けるように付勢する付勢体としてのスプリングバネ１５が巻き付け（巻装）られている。
【００１７】
このため、常時はスプリングバネ１５の付勢力により弁体１３を弁座１０に押し付けて、筒状体１１内の下部が閉弁状態となり、Ｄ−リモネンを含む液体４は連通口１２を介して筒状体１１内部に流入しているものの、筒状体１１内部から接着剤湿潤体７及び塗布部材６側へは流れないようにしている。
【００１８】
この接着剤塗布装置１を用いて接着を行うには、図２に示すように、先ずキャップ９を外し、塗布部材６のペン先部６Ａをポリスチレン（ＰＳ）で作られたプラモデルを構成するプラスチック部材１６の接着面１６Ａ（目標物）に押し付ける。このとき、塗布部材６はスプリングバネ１５に抗して上方に移動する。すなわち、塗布部材６の取り付け基部６Ｃが取り付けられた弁体１３及び弁棒１４が上方に移動し、弁体１３は筒状体１１の大径部１１Ａと小径部１１Ｂとの間の段部１７に当たって静止し、これ以上は移動ができなくなる。
【００１９】
この状態では、弁体１３が弁座１０から離れて筒状体１１内部の段部１７に当接するため、筒状体１１の大径部１１Ａ内のＤ−リモネンを含む液体４が接着剤湿潤体７内に保水され、さらにこの接着剤湿潤体７を介して塗布部材６のペン先部６Ａにも浸み込み（浸潤し）、このペン先部６Ａからプラスチック部材１６の接着面１６Ａにスポット的に塗布される。そして、Ｄ−リモネンを含む液体４は接着面１６Ａを洗浄しつつ、溶融させるため、プラスチック部材１６同士の接着を行うことができる。
【００２０】
また、図２に示すように、塗布部材６の棒状部６Ｂに外方から嵌められた接着剤湿潤体７は筒状体１１の大径部１１Ａ内下部に食い込んだ状態になり、Ｄ−リモネンを含む液体４は接着剤湿潤体７に一旦吸収される。また、弁体１３が筒状体１１内部の段部１７に当接して筒状体１１の小径部１１Ｂから大径部１１ＡへのＤ−リモネンを含む液体４の流れが遮断されていることもあり、粘性の低いＤ−リモネンを含む液体４は接着剤湿潤体７から徐々にフェルト製のペン先部６Ａに供給されて浸潤するため、ペン先部６Ａから接着面１６Ａに一気に流れ出す心配がない。
【００２１】
そして、ペン先部６Ａを接着面１６Ａから離すと、弁体１３はスプリングバネ１５の付勢力によって押されて弁座１０に押し付けられ、筒状体１１内部から接着剤湿潤体７及び塗布部材６側へのＤ−リモネンを含む液体４の流れが遮断されるため、塗布部材６のペン先部６ＡからＤ−リモネンを含む液体４が垂れる心配がなく、筒状体１内部には接着剤貯留部３のＤ−リモネンを含む液体４が連通口１２及び小径部１１Ｂ内を介して大径部１１Ａ内に補給される。従って、必要な塗布量に応じて、上述したペン先部６Ａの接着面１６Ａへの押し付け及び塗布部材６の上方への移動作業を繰り返し行うことにより、適量の接着剤を塗布することができる。
【００２２】
勿論、塗布量が少なくてもよい場合には、接着面１６Ａへ押圧して塗布部材６を上方へ移動させることを繰り返すことなく、ペン先部６Ａを接着面１６Ａへ接触させればよい。そして、接着作業を終了する場合にはキャップ９をペン先ホルダー５に外方から嵌め込むことにより、特にペン先部６Ａの乾燥を防ぐことができる。
【００２３】
上述した実施形態のものでは、有機溶剤系接着剤のものに比べて環境に優しく、人体に対する安全性も高いＤ−リモネンを含む液体４を接着剤として使用しつつ、接着作業時に塗布部材６の移動に伴い接着剤供給機構８が作動して塗布部材６にＤ−リモネンを含む液体４が適量供給されるため、接着面１６Ａに付けすぎたり、接着面１６Ａから食み出したりしないようにでき、塗布部材６をＤ−リモネンを含む液体４が浸潤できるフェルト製で、且つ、ペン先形状としているため、小さな接着面１６Ａでも適量のＤ−リモネンを含む液体４を供給することができ、接着剤湿潤体７を介して容器２内のＤ−リモネンを含む液体４が塗布部材６に供給されるようにして粘性の低いＤ−リモネンを含む液体が浸潤した塗布部材６から接着面１６Ａに流れすぎないように塗布できる。さらに、全体としてペンタイプの形状にしているため、携帯性にも優れている。
【００２４】
以上のように、本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【符号の説明】
【００２５】
１                接着剤塗布装置
２                容器
３                接着剤貯留部
４                Ｄ−リモネンを含む液体
５                ペン先ホルダー
６                塗布部材
６Ａ              ペン先部
７                接着剤湿潤体
８                接着剤供給機構
１０              弁座
１１              筒状体
１３              弁体
１４              弁棒
１５              スプリングバネ
１６Ａ            接着面
【図１】
2011218290.tif 000003
【図２】
2011218290.tif 000004